(57)【要約】【課題】被施工面への接着強度の向上を図る。【解決手段】複数枚のタイル１、1a…を碁盤目状や千鳥状等のタイル施工後の状態と同様に配列させ、かかるタイル１、1a…群の裏面側に線材３、3a…を組んで形成した網体２を接着し、該網体２により各タイル１、1a…を連結したタイルユニットにおいて、前記接着を接着剤４による局所接着とすることによって、網体２をタイル１、1a…に固着している接着剤４の非塗布部である剥き出し状態のタイル１、1a…の裏面にタイル張付剤Ｂを直接付着させ、かかるタイル張付剤Ｂにてタイル１、1a…の裏面自体を躯体Ｗの被施工面に張り付ける。【選択図】図２
0003130844.tif 000002
【実用新案登録請求の範囲】
【請求項１】
複数枚のタイルを碁盤目状や千鳥状等のタイル施工後の状態と同様に配列させ、かかるタイル群の裏面側に線材を組んで形成した網体を接着し、該網体にて各タイルを連結したタイルユニットにおいて、
前記接着は、接着剤による局所接着としたことを特徴とするタイルユニット。
【請求項２】
網体の線材がタイル裏面の縦辺部及び横辺部と斜めに交差する様にしたことを特徴とする請求項１記載のタイルユニット。
【考案の詳細な説明】
【技術分野】
【０００１】
本考案は、複数枚のタイルを網体にて連結して成るタイルユニットに関する。
【背景技術】
【０００２】
従来より、施工の手間を軽減するため、複数枚のタイルを碁盤目状、千鳥状等のタイル施工後の状態と同様に配列させ、かかるタイル群の裏面側に線材を組んで形成した網体を接着し、該網体にて各タイルを連結して形成したタイルユニットを利用していた。
【考案の開示】
【考案が解決しようとする課題】
【０００３】
ところが、上記タイルユニットは、タイルの裏面全体に接着剤を塗り付け、かかる接着剤にて網体を固着させていることから、被施工面にタイルユニットを張り付けるには、タイル張付専用の強力な接着剤やモルタル等のタイル張付剤が、網体を固着するのに用いた接着剤上に付着されることとなって、タイル張付剤より接着力の弱い接着剤を挟んだ状態にてタイルユニットを張り付けることになるため、いくら強力なタイル張付剤を使用したところで、タイルユニットの被施工面への接着強度の低下を避けられなかった。
【課題を解決するための手段】
【０００４】
本考案は、上記課題に鑑み、複数枚のタイルを碁盤目状や千鳥状等のタイル施工後の状態と同様に配列させ、かかるタイル群の裏面側に線材を組んで形成した網体を接着し、該網体にて各タイルを連結したタイルユニットにおいて、前記接着を接着剤による局所接着とすることによって、網体を固着している接着剤の非塗布部である剥き出し状態のタイル裏面にタイル張付剤を直接付着させ、かかるタイル張付剤にてタイル裏面自体を被施工面に張り付ける様にして、上記課題を解決する。
【考案の効果】
【０００５】
要するに本考案は、複数枚のタイルを碁盤目状や千鳥状等のタイル施工後の状態と同様に配列させ、かかるタイル群の裏面側に線材を組んで形成した網体を接着し、該網体にて各タイルを連結したタイルユニットにおいて、前記接着を接着剤による局所接着としたので、接着剤の非塗布部に付着させたタイル張付剤にてタイル裏面自体を被施工面に張り付けることで、タイル張付剤が有する強力な接着力を活用して、タイルユニットの被施工面への接着強度の向上を図ることが出来る。
【０００６】
従前のタイルユニットは、網体の線材がタイルの縦横方向に平行になる様に網目の向きが合わされていたが、するとタイルユニットの取扱時に、タイル間の目地形成用の間隙部で線材が撓んで、各タイルは線材に束縛されながらも幾分大きく動くことから、網体とタイルを局所接着した場合に、剥離の可能性が懸念されるが、本考案のものは、網体の線材がタイル裏面の縦辺部及び横辺部と斜めに交差する様にしたので、各タイルはより強く線材に束縛されることとなって、動きが制約されることから、網体の剥離の虞がなく、本考案のものを万全に具現化でき、更には、目地形成用の間隙部が適正間隔に保持されることから、施工時の手間がさらに減少し、作業負担の軽減、工期短縮をも図ることが出来る等その実用的効果甚だ大である。
【考案を実施するための最良の形態】
【０００７】
以下、本考案の一実施形態を図面に基づき説明する。
図１は本考案に係るタイルユニットの概略裏面図、図２は図１のタイルユニットの貼り付け後（タイル間の目地材の充填前）の状態を概略して示す要部拡大断面図である。
【０００８】
各図に示す様に、このタイルユニットは、複数枚のタイル１、1a…を碁盤目状に配列させ、かかるタイル１、1a…群の裏面側に網体２を接着し、該網体２にて各タイル１、1a…を連結している。
【０００９】
網体２は、素材を限定せず、例えば、グラスファイバー、合成樹脂、紙材、ワイヤー等から成る線材３、3a…を組んで形成したもので良く、タイル１、1a…の連結に充分な強度、つまりタイルユニットの一端を把持して持ち上げた場合に、把持されない他のタイル１、1a…が網体２により吊り上げられるのに支障のない程度の強度を有するものであれば良い。
【００１０】
各タイル１、1a…と、網体２との接着は、接着剤４による局所接着としており、また接着剤４の種類は問わず、タイルユニットの取扱時に、網体２がタイル１、1a…から剥離してしまわない程度の接着強度を有するものであれば良い。
局所接着とは、タイル１、1a…の裏面全体に接着剤４を塗布して、網体２を接着するのでなく、図１に示す様に、タイル１、1a…の裏面の複数箇所に点状に接着剤４を塗布し、この様に点在させた接着剤４にて、タイル１、1a…に網体２を固着させる、所謂スポット接着のことである。
【００１１】
以上、図示例のものでは、網体２は、線材３、3a…がタイル１、1a…の裏面の縦辺部５及び横辺部６と平行になる様に網目の向きが合わされているが、図３に示す様に、線材３、3a…が縦辺部５及び横辺部６と斜めに交差する様にしても良く、斜めにしたものでは、タイル１、1a…の間の目地形成用の間隙部で線材３、3a…が撓まないことから、各タイル１、1a…は線材に強く束縛されることとなって、取扱時の動きが制約される。
又、タイル１、1a…の配列の態様は、碁盤目状に限定されず、例えば千鳥状でも良く、要するに、タイル１、1a…をその施工後の状態と同様に配列させたものであれば良い。
【００１２】
次に、本考案のタイルユニットの施工方法について説明する。
基本的には、従来のものと略同じであり、先ず躯体Ｗの被施工面にタイル張付剤Ｂを施し、そのタイル張付剤Ｂ上にタイルユニットの裏面を押し当て、各タイル１、1a…を被施工面に張付ける。
この時、網体２を各タイル１、1a…に固着している接着剤４の非塗布部である剥き出し状態のタイル裏面にあっては、タイル張付剤Ｂがタイル１、1a…の裏面に直接付着し、かかるタイル張付剤Ｂにてタイル１、1a…が被施工面に張り付けられる。
そして、以上の張付けを繰り返し、被施工面全体にタイルユニットを張り付けた後、目地形成用の間隙部に目地材を充填すれば良い。
【図面の簡単な説明】
【００１３】
【図１】本考案に係るタイルユニットの概略裏面図である。
【図２】図１のタイルユニットの貼り付け後の状態を示す要部拡大断面図である。
【図３】タイルユニットの他例の概略裏面図である。
【符号の説明】
【００１４】
１、1a…  タイル
２        網体
３、3a…  線材
４        接着剤
５        縦辺部
６        横辺部
【図１】
0003130844.tif 000003
【図２】
0003130844.tif 000004
【図３】
0003130844.tif 000005